(57)【要約】【課題】低コスト、簡素な構造で移動性を高めつつ、メンテナンスを改善する汚水処理装置を提供する。【解決手段】  底板２と、底板２に固定される前板３と、前脚４と、ローラ５を備える後脚６と、前板３に固定される掛合部材７と、を備えてコンテナ脱着装置付自動車１００に積み降ろし自在に構成されるコンテナ８を備え、底板２上に立設する洋式便所９及び小便所１０と、底板２上に設けられる手洗い装置１１と、洋式便所９、小便所１０及び手洗い装置１１から汚水を排出する排出部材１３と、底板２に設けられ排出部材１３と連通する貫通孔１４と、洋式便所９等に水を供給する給水装置１５と、を備え、排出部材１３が複数本の排出管１６ａ〜１６ｅから構成され、該排出管が集合管１７に合体され、軸方向に対して伸縮自在な伸縮管１９が取り付けられ、伸縮管１９に環状の錘２０が固定され、貫通孔１４を開閉するスライド構造の開閉部材２１を設ける。【選択図】  図１
2007277838.tif 000002
【特許請求の範囲】
【請求項１】
少なくとも、底板と、該底板に固定される前板と、前脚と、ローラ付後脚と、前記前板に固定される掛合部材と、を備えてコンテナ脱着装置付車両に脱着自在に構成されるコンテナと、
前記底板上に立設する複数の便器と、
前記底板上に設けられる手洗い装置と、
前記便器から汚水を排出する排出部材と、
前記底板に設けられ前記排出部材と連通する貫通孔と、
前記便器及び手洗い装置に水を供給する給水装置と、
を備えたことを特徴とする汚水処理装置。
【請求項２】
前記排出部材が複数本の排出管から構成され、該排出管が集合管に合体される請求項１の汚水処理装置。
【請求項３】
前記排出部材が皿状部を備える請求項１の汚水処理装置。
【請求項４】
前記排出部材に、軸方向に対して伸縮自在な伸縮管が取り付けられる請求項１の汚水処理装置。
【請求項５】
前記伸縮管の下端部に環状の錘が固定される請求項４の汚水処理装置。
【請求項６】
前記貫通孔を開閉する開閉部材を設ける請求項４又は５の汚水処理装置。
【請求項７】
前記伸縮管の内側に可撓性の管を設ける請求項４乃至６いずれかの汚水処理装置。
【請求項８】
前記手洗い装置の排出管が複数本に分岐し、前後の端部の排出管に合体するか、または、皿状部に汚水を排出する請求項２又は３の汚水処理装置。
【請求項９】
空気圧源と、
前記空気圧源から空気が供給され、前記皿状部の端部に空気を噴射する噴射部と、を備える請求項８の汚水処理装置。
【請求項１０】
前記貫通孔の径がマンホールの径に対応した大きさに設定される請求項１の汚水処理装置。
【請求項１１】
少なくとも、底板と、該底板に固定される前板と、前脚と、ローラ付後脚と、前記前板に固定される掛合部材と、を備えてコンテナ脱着装置付車両に脱着自在に構成されるコンテナと、
前記底板上に立設する複数の便器と、
前記底板上に設けられる手洗い装置と、
前記便器からの汚水を排出するとともに伸縮自在な排出部材と、
前記底板に設けられ前記排出部材と連通する貫通孔と、
を備える汚水処理装置を使用する汚水処理方法であって、
マンホールの蓋を開け開口を露出させるステップと、
前記排出部材を伸張させる伸張ステップと、
前記コンテナをマンホール上に設置し、前記伸張した排出部材を前記マンホールの開口に挿入する挿入ステップと、
前記伸縮管を縮小し前記貫通孔に収容する収容ステップと、
前記貫通孔を封止する封止ステップと、
前記封止ステップが完了した後、前記コンテナをコンテナ脱着装置付車両に搭載し、移動する移動ステップと、
を備える汚水処理方法。
【発明の詳細な説明】
【技術分野】
【０００１】
本発明は移動可能な便器を備える汚水処理装置及び便器から排出される汚水を処理する汚水処理方法に関し、特に、便器などの機器を備えたコンテナ型の汚水処理装置を、必要に応じて移設、追加、撤去可能とし、浄化処理を不要とし、各コンテナにおいて発生した汚水をマンホールなどの汚水排水口に排出するものに関する。
【背景技術】
【０００２】
従来、各ユニットでの生活排水を圧送可能とするカッタポンプを設け、合併浄化槽との間を接離可能なゴム性の汚水圧送配管により連結することで、汚水浄化システムの機器設置拡大化、施工容易化（汎用性）および移設、追加、撤去または保守の円滑化を図る発明が提案されている。この発明は、各水洗トイレユニットA,Bの手洗い台2，洋式便器3及び小便所１０a〜10c、各シャワーユニットC,Dの浴槽13，シャワー器14及び蛇口15、洗濯ユニットEの洗濯場20a〜20c、炊事ユニットFの炊事場25a〜25eなどにおいて発生した生活排水を各ユニット毎の汚水槽8,11,17,19,23,28に収容し、各汚水槽に設けたカッタポンプ31と合併浄化槽32とを汚水圧送配管34によって汚水圧送可能な連結状態又は汚水圧送不能な非連結状態に接離する。各ユニットおよび合併浄化槽をコンテナに収容して車両で輸送可能とするものである。
【特許文献１】特開平11-90465
【０００３】
しかしながら、浄化槽の設置、移動、メンテナンスが煩雑である。大掛かりと成るという問題がある。
【発明の開示】
【発明が解決しようとする課題】
【０００４】
そこで、低コスト、簡素な構造で移動性を高めつつ、メンテナンスを改善する汚水処理装置を提供することを課題とする。
【課題を解決するための手段】
【０００５】
上記課題に鑑み、請求項１の発明は、少なくとも、底板と、該底板に固定される前板と、前脚と、ローラ付後脚と、前記前板に固定される掛合部材と、を備えてコンテナ脱着装置付車両に脱着自在に構成されるコンテナと、前記底板上に立設する複数の便器と、前記底板上に設けられる手洗い装置と、前記便器から汚水を排出する排出部材と、前記底板に設けられ前記排出部材と連通する貫通孔と、前記便器及び手洗い装置に水を供給する給水装置と、を備えたことを特徴とする汚水処理装置である。
【０００６】
請求項２の発明は、前記排出部材が複数本の排出管から構成され、該排出管が集合管に合体される請求項１の汚水処理装置である。
【０００７】
請求項３の発明は、前記排出部材が皿状部を備える請求項１の汚水処理装置である。
【０００８】
請求項４の発明は、前記排出管に、軸方向に対して伸縮自在な伸縮管が取り付けられる請求項１の汚水処理装置である。
【０００９】
請求項５の発明は、前記伸縮管の下端部に環状の錘が固定される請求項４の汚水処理装置である。
【００１０】
請求項６の発明は、前記貫通孔を開閉する開閉部材を設ける請求項４又は５の汚水処理装置である。
【００１１】
請求項７の発明は、前記伸縮管の内側に可撓性の管を設ける請求項４乃至６いずれかの汚水処理装置である。
【００１２】
請求項８の発明は、前記手洗い装置の排出管が複数本に分岐し、前後の端部の排出管に合体するか、または、皿状部に汚水を排出する請求項２又は３の汚水処理装置である。
【００１３】
請求項９の発明は、空気圧源と、前記空気圧源から空気が供給され、前記皿状部の端部に空気を噴射する噴射部と、を備える請求項８の汚水処理装置である。
【００１４】
請求項１０の発明は、前記貫通孔の径がマンホールの径に対応した大きさに設定される請求項１の汚水処理装置である。
【００１５】
請求項１１の発明は、少なくとも、底板と、該底板に固定される前板と、前脚と、ローラ付後脚と、前記前板に固定される掛合部材と、を備えてコンテナ脱着装置付車両に脱着自在に構成されるコンテナと、前記底板上に立設する複数の便器と、前記底板上に設けられる手洗い装置と、前記便器からの汚水を排出するとともに伸縮自在な排出部材と、前記底板に設けられ前記排出部材と連通する貫通孔と、を備える汚水処理装置を使用する汚水処理方法であって、マンホールの蓋を開け開口を露出させるステップと、前記排出部材を伸張させる伸張ステップと、前記コンテナをマンホール上に設置し、前記伸張した排出部材を前記マンホールの開口に挿入する挿入ステップと、前記伸縮管を縮小し前記貫通孔に収容する収容ステップと、前記貫通孔を封止する封止ステップと、前記封止ステップが完了した後、前記コンテナをコンテナ脱着装置付車両に搭載し、移動する移動ステップと、を備える汚水処理方法である。
【発明の効果】
【００１６】
請求項１〜１１により、コンテナ脱着装置付自動車に脱着自在とし、浄化槽を不要とし、低コスト、簡素な構造で衛生環境を改善し、メンテナンスを改善することができる。
【００１７】
請求項２の発明によれば、前記排出部材が複数本の排出管から構成され、該排出管が集合管に合体されるので、効率的な集便が可能である。
【００１８】
請求項３の発明は、前記排出部材が皿状部を備えるので、汚水の流路を増大でき、大便が詰まりにくくなる。
【００１９】
請求項４の発明は、前記排出管に、軸方向に対して伸縮自在な伸縮管が取り付けられるので、貫通孔に収容でき、積み下ろしの際のコンテナ脱着車両との衝突を防止でき、伸縮管の破損を防止できる。
【００２０】
請求項５の発明は、前記伸縮管の下端部に環状の錘が固定されるので、伸縮管が自重で自然に垂下できる。
【００２１】
請求項６の発明は、前記貫通孔を開閉する開閉部材を設けるので、臭い等の拡散を防止し、快適な環境を与える。
【００２２】
請求項７の発明は、前記伸縮管の内側に可撓性の管を設けるので、伸縮管への便の付着を防止できる。
【００２３】
請求項８の発明は、前記手洗い装置の排出管が複数本に分岐し、前後の端部の排出管に合体するか、または、皿状部に汚水を排出するので、特別の手段を設けることなく、大便の詰まりを有効に防止できる。
【００２４】
請求項９の発明は、空気圧源と、前記空気圧源から空気が供給され、前記皿状部の端部に空気を噴射する噴射部と、を備えるので、排出部材に付着する便を吹き飛ばすことができる。
【００２５】
請求項１０の発明は、前記貫通孔がマンホールに連通する大きさに設定されるので、直接、排出でき、浄化装置を不要にできる。
【発明を実施するための最良の形態】
【００２６】
以下に、本発明の好適な一実施形態である汚水処理装置１について図面を参照して説明する。なお、本発明の実施の形態は、下記の実施形態に何ら限定されるものではなく、本発明の技術的思想を逸脱しない範囲において、改変等を加えることができるものであり、それらの改変、均等物等も本発明の技術的範囲に含まれ、該技術的範囲に属する限り種々の形態を採り得ることは言うまでもない。
【実施例１】
【００２７】
図１乃至図８に示す汚水処理装置１は、少なくとも、底板２と、底板２に固定される前板３と、前脚４と、ローラ５を備える後脚６と、前板３に固定される掛合部材７と、を備えてコンテナ脱着装置付自動車１００（図９及び図１０参照）に積み降ろし自在に構成される鉄鋼製のコンテナ８とを備えている。汚水処理装置１は、底板２上に立設する複数の洋式便器を備えた洋式便所９及び小便器を備えた小便所１０と、底板２上に設けられる手洗い装置１１と、手洗い装置１１に設けた蛇口１２と、洋式便所９、小便所１０及び手洗い装置１１から汚水を排出する排出部材１３と、底板２に設けられ排出部材１３と連通する貫通孔１４と、洋式便所９、小便所１０及び手洗い装置１１に水を供給する給水装置１５と、を備えている。洋式便所９及び小便所１０は支柱によって底板２上に固定されている。さらに、排出部材１３が複数本の排出管１６ａ〜１６ｅから構成され、これらの排出管１６ａ〜１６ｅが集合管１７に合体される。また、手洗い装置１１の排出管１８が途中から排出管１８ａ及び１８ｂにそれぞれ分岐しており、排出管１６ａと排出管１６ｄに合体する。排出管は覆い板で囲って遮蔽してもよい。集合管１７に、軸方向に対して伸縮自在な伸縮管１９が取り付けられる。伸縮管１９は蛇腹管が好ましい。伸縮管１９の下端部に環状の錘２０が固定される。伸縮管１９を縮小させ貫通孔１４内に収容させるとともに、水平方向にスライドすることで貫通孔１４を開閉するスライド構造の開閉部材２１を設ける。貫通孔１４の径がマンホール３０の径に対応した大きさに設定される。伸縮管１９の内側に可撓性の内管２２を設け、用便が伸縮管１９に引っかからないようにしている。底板２の裏面には、一対のレール２３と、複数のリブ２４と、走行時にコンテナ８を自動車１００に固縛する固縛装置２５とが備えられている。図１は運搬状態を示し、図２は使用状態を示す。以下、各要素を詳細に説明する。
【００２８】
汚水処理装置１は、２つの洋式便所９と、２つの小便所１０とを、手洗い装置１１を真中に挟んで左右に設置している。洋式便所９の前面は開放され、小便所１０はその前面はそれぞれ鍵付きの扉５により遮蔽されるようになっている。
【００２９】
図１の運搬開始状態において、ロープ等の引張部材で伸縮管１９を上方に引っ張り上げることで、伸縮管１９は縮小され、錘２０とともに貫通孔１４内に収容され、開閉部材２１により閉鎖されて、汚水が漏出しないようにしている。無論、開閉部材２１はシール部材で密閉してある。マンホール３０は蓋３１で蓋をされている。
【００３０】
図２の使用状態において、引張部材での吊上げを解除して、伸縮管１９は錘２０の重力で、マンホール３０内部まで垂下する。そして、その状態で使用される。マンホール３０は蓋３１が取り外された状態である。
【００３１】
手洗い装置１１の上方には水道の蛇口１２が設けられ、給水装置１５（給水装置１５がない場合、図示しない水道管）に接続された給水管（図示せず）を経て水道水が蛇口１２から供給されるようになっている。この手洗い装置１１の最深部には排水口（図示略ｂが設けられ、手洗い装置１１での手洗いにより汚れた水道水が汚水としてそれぞれ、排出管１８ａ及び１８ｂを経て排出管１６ａ及び１６ｅに排出されるようになっている。また、上記各洋式便所９及び小便所１０には水槽（図示略）が付設され、該水槽にも給水管（図示せず）を経て水道水が供給されるようになっている。この水槽に供給された水は、洋式便所９及び小便所１０での用便後の洗浄水として貯留され、その用便後の汚水は、排出管１６ａ〜１６ｅを経て集合管１７に排出されるようになっている。そして、集合管１７の汚水は、伸縮管１９を経て、マンホール３０に排出されるようになっている。
【００３２】
貫通孔１４は伸縮管１９が通過できるような大きさに設定され、且つ、伸縮管１９はマンホール３０に挿入できるような大きさに設定される。
【００３３】
なお、図示は略するが、空気圧源と、空気圧源から空気が供給され、排出管１６ａ及び１６ｅに空気を噴射する噴射部と、を備えてもよい。排出管１６ａ及び１６ｅは、傾斜が緩く、大便が詰まりやすいからである。
【００３４】
次に、コンテナ脱着装置付自動車１００について図９を参照して説明する。このコンテナ脱着装置付自動車１００は、運転席にコントロールスイッチ１０２、Ｐ．Ｔ．Ｏ．を操作するＰＴＯレバー１０３、荷台部分に、ダンプアーム１０４と、リフトシリンダ１０５、ソレノイドバルブ１０６、リフトシリンダ１０５で回動（図１０（ａ）〜（ｅ））されるリフトアーム１０７とを備えている。リフトアーム１０７の先端には、吊上フック１０１が設けられ、これにより汚水処理装置汚水処理装置１が積み降ろし可能となる。またダンプアーム１０４は後端部を中心として回動可能となっている（図１０（ｆ）（ｇ）参照）。また、ロックシリンダ１０９、汚水処理装置１をロック可能なコンテナロック１８０が設けられ、リフトアーム１０７を固縛状態又は非固縛状態とするものである。コンテナ脱着装置付自動車１００の後端部には、汚水処理装置１の底面の洋式便所９を案内するヒンジローラ１８１が設けられ、また汚水処理装置１を係止するコンテナフック１８２が設けられている。１８３はジャッキである。なお、ダンプアーム１０４のダンプ（図１０（ｇ）参照）が可能である。汚水処理装置１をコンテナ脱着装置付自動車１００に脱着するとき、前脚４は折り畳まれてもよい。
【００３５】
汚水処理装置汚水処理装置１をコンテナ脱着装置付自動車１００に積み降ろしする場合は、吊上フック１０１をローラ５に取り付け、汚水処理装置１を吊り上げたり吊り下げたりすることで、コンテナ脱着装置付自動車１００への汚水処理装置１の積み降ろしを実行する（図９及び図１０参照）。このとき、ローラ５の働きで、汚水処理装置１の底面の円滑な運動を確保し、円滑な作業ができる。なお、図１０（ａ）は固縛状態、同（ｂ）は開放状態、同（ｃ）は離脱状態、同（ｄ）は離脱完了状態、同（ｅ）は装着状態、同（ｆ）は装着完了状態を各々示し、同（ｇ）はダンプ状態を示す。
【００３６】
汚水処理装置１の使用方法について説明する。この使用方法は、次のステップからなる。汚水処理装置１は、図１の運搬状態と、図２の使用状態とを切り替えて使用する。汚水処理装置１をコンテナ脱着装置付自動車１００に装着し、マンホール設置箇所まで移動させ。汚水処理装置１を自動車１００から離脱させて、マンホール３０の設置箇所に設置する。汚水処理装置１の使用が終わったら、汚水処理装置１を自動車１００に装着し、移動する。なお、汚水処理装置汚水処理装置１をコンテナ脱着装置付自動車１００へ脱着するとき、前脚４を折り曲げたり、縮めたりして、支障の無い様にしてもよい。
【００３７】
汚水処理装置１を自動車１００に装着し、マンホール３０の場所まで移動した後、マンホール３０の蓋３１を開けマンホール開口を露出させるステップを設ける。
【００３８】
伸縮管１９を伸張させる伸張ステップを設ける。
【００３９】
貫通孔１４をマンホール上に設置し、伸張した伸縮管１９をマンホール３０の開口に挿入する挿入ステップを設ける。
【００４０】
伸縮管１９を縮小し貫通孔１４に収容する収容ステップを設ける。
【００４１】
貫通孔１４を開閉部材２１により封止する封止ステップを設ける。
【００４２】
封止ステップが完了した後、汚水処理装置１をコンテナ脱着装置付自動車１００に搭載し、移動する移動ステップを設ける。
【００４３】
汚水処理装置１の挿入ステップ後は使用状態となるので、その作用を説明する。手洗い装置１１での手洗い後に発生した汚水、洋式便所９及び小便所１０での用便後に発生した汚水は、それぞれ、排出管１８ａ及び排出管１８ｂ、排出管１６ａから１６ｅから、集合管１７へ集合させられ、伸縮管１９を経て、マンホール３０に排出される。
【００４４】
汚水処理装置汚水処理装置１は、コンテナ脱着装置付自動車１００へ脱着自在であるので、運搬、移動、設置、保管も容易である。マンホール３０を利用できるので、メンテナンスが容易である。
【実施例２】
【００４５】
図７に示す通り、排出管１６ａ〜１６ｅが削除され、それに代えて、皿状部１７０を備える。その他の構成は同様であるので、説明及び図示は実施例１を援用する。
【００４６】
尚、本発明は上記実施の形態に限定されるものではなく、その他種々の変形例を包含するものである。例えば、前脚４の裏面の後部にはローラ５付の後脚６が、また前部にはローラの付いていない内側に折畳んで係止可能な前脚４が夫々一対づつ設けてもよい。前脚４の変更形態として、図示は略すが、折り曲げ可能な構造（伸縮自在でもよい）となっており、折り曲げて前脚４に掛け止めされる構造であり、地面に設置する場合は、直立し、コンテナ脱着自動車１００に装着されるときは、折り畳まれるようにしてもよい。
【図面の簡単な説明】
【００４７】
【図１】本発明の実施例１の汚水処理装置の非使用状態での正面図である。
【図２】同装置の使用状態の正面図である。
【図３】同装置の裏面図である。
【図４】同装置の左側面図である。
【図５】同装置の自動車への積み下ろし作業を示す説明図である。
【図６】コンテナ脱着装置付自動車の動作説明図である。
【図７】本発明の実施例２の汚水処理装置の正面図である。
【符号の説明】
【００４８】
１…汚水処理装置    ２…底板    ３…前板  ４…前脚
５…ローラ  ６…後脚  ７…掛合部材  ８…コンテナ
９…洋式便器  １０…小便器  １１…手洗い装置
１２…蛇口  １３…排出部材  １４…貫通孔  １５…給水装置
１６…排出管  １７…集合管  １８…排出管
１８ａ，１８ｂ…分岐管  １９…伸縮管
２０…錘  ２１…開閉部材  ２２…内管
３０…マンホール  ３１…蓋
【図１】
2007277838.tif 000003
【図２】
2007277838.tif 000004
【図３】
2007277838.tif 000005
【図４】
2007277838.tif 000006
【図５】
2007277838.tif 000007
【図６】
2007277838.tif 000008
【図７】
2007277838.tif 000009